(57)【要約】【課題】脱水工程においてドラムを回転させても被処理物がドラムの内周面に張り付くことがなく、被処理物に貫通孔の痕跡が付かず、ドラムの内部へ熱風を導入し易くして被処理物を効率良く乾燥させることができる洗濯脱水乾燥装置を提供する。【解決手段】被処理物投入部６を有する筐体２と、筐体２内に形成した処理室４内に回転自在に設けられ、複数の貫通孔１８を有し、投入口６から投入された被処理物を収納するドラム５と、ドラム５を回転する回転駆動機構２６と、導入した外気を加熱する加熱ユニット１１と、処理室４から熱風を外部へ排出する排気ユニット１２と、を備える洗濯脱水乾燥装置１であって、ドラム５の内面に、網部材３３を着脱可能に配設した。【選択図】        図２
2004321304.tif 000002
【特許請求の範囲】
【請求項１】
被処理物投入部を有する筐体と、
この筐体内に形成した処理室内に回転自在に設けられ、周面に複数の貫通孔を有し、上記被処理物投入部から投入された被処理物を収納する円筒状のドラムと、
このドラムを回転する回転駆動機構と、
加熱した空気を処理室内に供給する乾燥風ユニットと、
を備える洗濯脱水乾燥装置において、
上記ドラムの内面に、網部材を着脱可能に配設したことを特徴とする洗濯脱水乾燥装置。
【請求項２】
前記ドラムの内面に、軸方向に沿ってドラム中心側へ突出した複数の攪拌突起部を設け、該攪拌突起部を除くドラム内面に前記網部材を配設したことを特徴とする請求項１に記載の洗濯脱水乾燥装置。
【請求項３】
前記網部材の一部がドラム内面と間隔を隔ててドラム中心側へ撓む状態で配設したことを特徴とする請求項１または請求項２に記載の洗濯脱水乾燥装置。
【請求項４】
前記網部材の網目が、前記ドラムの貫通孔の孔径よりも小さいことを特徴とする請求項１から請求項３のいずれかに記載の洗濯脱水乾燥装置。
【発明の詳細な説明】
【０００１】
【発明の属する技術分野】
本発明は、衣類等の被処理物を洗濯し、脱水後に乾燥する洗濯脱水乾燥装置に関する。
【０００２】
【従来の技術】
コインランドリーには衣類や毛布等の被処理物が持ち込まれるが、現在では、被処理物を丸洗いして洗浄する洗浄工程を行なった後、続いて脱水工程および乾燥工程を連続して行なう全自動型の洗濯脱水乾燥装置を設置することが主流となっている。
【０００３】
この種の洗濯脱水乾燥装置は、衣類等の被処理物の投入部を有する筐体と、この筐体内に形成した処理室内に横向き状態で回転自在に設けられたドラムと、このドラムを回転する回転駆動機構と、導入した外気を加熱する加熱ユニットと、処理室から熱風を外部へ排出する排気ユニットと、を備えおり、洗浄工程では処理室内に洗浄水を収容してドラムを回転させることにより被処理物を攪拌して丸洗い洗浄し、脱水工程では処理室内の洗浄水を排水した状態でドラムを回転させて遠心力により被処理物を脱水し、乾燥工程では導入した外気を加熱して処理室内を通過させると共に、ドラムを回転させることにより被処理物の乾燥を行っている。
【０００４】
このような洗浄工程から乾燥工程までを１台で連続して行なう洗濯脱水乾燥装置の関連技術としては、例えば、特開平９−３１３７８１号公報（特許文献１）が挙げられるが、同公報に開示された装置は乾燥工程における乾燥機構に特徴を有しており、石油系溶剤を使用したドライクリーニング装置である。
【０００５】
【特許文献１】
特開平９−３１３７８１号公報
【０００６】
【発明が解決しようとする課題】
ところで、従来の洗濯脱水乾燥装置においては、脱水工程においてドラムを回転させると、遠心力によりドラムの内周面に被処理物が張り付いて密着状態となり、ドラムの回転を停止しても被処理物が張り付いたままになり、被処理物がドラムの周面に開設した貫通孔を塞いでしまう。この現象は、特に肌着、タオル、Ｔシャツ等の柔らかい素材に顕著に現れ、これらはコインランドリーに持ち込まれる洗濯物の主たるものであり、数も多い。
ドラムの内周面に被処理物が張り付いたまま乾燥工程に移行すると、貫通孔に被処理物が密着して孔の形状が被処理物に転写されて丸い痕跡が付いてしまったり、被処理物が貫通孔を塞いでドラムの通気性が阻害されるため、乾燥効率が低下して不完全乾燥の原因となるという問題があった。
【０００７】
本発明は、このような事情に鑑みてなされたものであり、脱水工程においてドラムを回転させても被処理物がドラムの内周面に張り付いたままになることがなく、被処理物に貫通孔の痕跡が付かず、ドラムの通気性を確保して被処理物を効率良く乾燥させることができる洗濯脱水乾燥装置を提供することを目的とする。
【０００８】
【課題を解決するための手段】
本発明は、前記目的を達成するために提案されたものであり、請求項１に記載のものは、被処理物投入部を有する筐体と、
この筐体内に形成した処理室内に回転自在に設けられ、周面に複数の貫通孔を有し、上記被処理物投入部から投入された被処理物を収納する円筒状のドラムと、
このドラムを回転する回転駆動機構と、
加熱した空気を処理室内に供給する乾燥風ユニットと、
を備える洗濯脱水乾燥装置において、
上記ドラムの内面に、網部材を着脱可能に配設したことを特徴とする洗濯脱水乾燥装置である。
【０００９】
請求項２に記載のものは、前記ドラムの内面に、軸方向に沿ってドラム中心側へ突出した複数の攪拌突起部を設け、該攪拌突起部を除くドラム内面に前記網部材を配設したことを特徴とする請求項１に記載の洗濯脱水乾燥装置である。
【００１０】
請求項３に記載のものは、前記網部材の一部がドラム内面と間隔を隔ててドラム中心側へ撓む状態で配設したことを特徴とする請求項１または請求項２に記載の洗濯脱水乾燥装置である。
【００１１】
請求項４に記載のものは、前記網部材の網目が、前記ドラムの貫通孔の孔径よりも小さいことを特徴とする請求項１から請求項３のいずれかに記載の洗濯脱水乾燥装置である。
【００１２】
【発明の実施の形態】
以下、本発明の実施の形態を図面に基づいて説明する。
図１は、本発明の洗濯脱水乾燥装置の一実施形態を示しており、（ａ）はその概略正面図であり、（ｂ）はその概略側面図である。
【００１３】
この洗濯脱水乾燥装置１は、密閉可能な略直方体形の筐体２の内部に、円筒体状のシェル（外胴）３を横向き状態で設けて処理室４を区画形成し、この処理室４内に横向き状態でドラム５を回転自在に設けてある。
【００１４】
筐体２は、前面に衣類等の被処理物の投入部（本発明の被処理物投入部）として、ドラム５の内径よりも小径の円形の投入口６を開設するとともに、この投入口６にヒンジ７´を介して扉７を開閉可能に設けてある。本実施形態における扉７は円形を呈しており、その中央部分には丸い窓８を設けてある。この扉７の筐体２側には、気密性を高めるためのシール材９を設ける。
【００１５】
シェル３は、軸心を横倒した円筒形で、背面板１０とともに円柱状の空間として処理室４を区画形成しており、ドラム５の外周面との間に隙間を隔てて、ドラム５の外周を囲繞している。そして、筐体２内のシェル３の上方後部には、外部から導入した空気を加熱する加熱ユニット１１が設けられており、シェル３の下方後部には、乾燥風を外部へ排出する排気ユニット１２が設けられている。尚、シェル３の上部一側および下部横には、それぞれ乾燥風を通過させる開口部１３，１４が形成されている。
【００１６】
ドラム５は、軸心を横倒した円筒形で、手前側のリング状端板１５の中心に開口部を有し、奥側の円形端板１６の中心に支軸１７を外方に突出する状態で有し、両端板１５，１６を繋ぐ周面板に無数の小さな貫通孔１８…を開設することにより通水性および通気性をもたせ、上記リング状端板１５の開口部が筐体２の投入口６に連通するようにしてある（図２参照）。そして、上記背面板１０とその後方のブラケット１９に設けた軸受２０，２１により上記支軸１７を支え、支軸１７の先端に設けたプーリー２２とモータ２３の出力軸に設けたプーリー２４との間にベルト２５を掛け、モータ２３の作動によりドラム５を回転する。
【００１７】
なお、モータ３，プーリー２２，２４等の回転駆動機構２６は、上記したモータやベルト等に限定されるものではなく、ドラム５を回転することができればどのような構成でもよい。
【００１８】
加熱ユニット１１は筐体２内の上部に設けられ、外気を吸い込む吸気部の下流側にガスバーナー等の加熱装置が設けられている。加熱ユニット１１は、排気ユニット１２を駆動することにより、吸気部から導入された外気を加熱する。
本実施形態では、この加熱ユニット１１には送風手段は設けられていないが、ブロワー等の送風手段を装備してもよい。
【００１９】
排気ユニット１２は、処理室４内の空気を外部へと排出するが、本実施形態においては、筐体２の下部後方にシロッコファン式の送風機２７を設け、この送風機２７の吸気側を筐体２内に臨ませて、送風機２７の排気側にダクト（図示せず）を接続して屋外に排気できるように構成してある。そして、シェル３の下部横に形成した開口部１４に連通させて通気路２８を形成し、この通気路２８の途中にリントフィルタ２９を設け、リントフィルタ２９の出口側に送風機２７の吸気口を連通させ、送風機２７の排気側にダクトを接続するように構成してある。
【００２０】
したがって、送風機２７を作動させると通気路２８に負圧が発生し、これによりドラム５を設けてある処理室４内の空気は、シェル３の下部横の開口部１４から吸い出されて通気路２８に流入し、途中でリントフィルタ２９を通過することによって糸屑や綿屑の除去が行なわれ、濾過された空気は送風機２７内を通って排気側からダクトを通って屋外に排気される。また、この様にして処理室４内の空気が排気されると、加熱ユニット１１で熱せられた高温の熱風が開口部１３から処理室４内に導入され、周面の通気孔１８…を通ってドラム５の内部に入る。そして、ドラム５内に入った熱風は通気孔１８…を通ってドラム５の外部に出て開口部１４から排出される。この様に、本実施形態においては加熱ユニット１１と排気ユニット１２が本発明における乾燥風ユニットとして機能し、加熱した空気を処理室内に供給する。
【００２１】
なお、図１（ａ）において、３０は制御ボックスであり、洗浄工程、脱水工程、及び乾燥工程において、処理室４の給排水や、回転駆動機構２６、排気ユニット１２、及び加熱ユニット１１等の作動を制御する。
【００２２】
次に、図２を用いて、ドラム５の構造について説明する。図２において、（ａ）はドラムの径方向の断面図であり、（ｂ）はドラムの軸方向の断面図である。図示するように、ドラム５の両端板１５，１６を繋ぐ周面板３１の内面には、ドラム５の回転時に衣類等の被処理物を引っ掛けて上昇させるための攪拌突起部３２が形成してある。この攪拌突起部３２は、正面形状が例えば二等辺三角形のような山形状を呈しており、ドラム５の径方向内方に向けて突出している。本実施形態では、ドラム５の周面板３１の内面に４箇所の攪拌突起部３２…が均等配置しているが、その数や形状はこれに限られず、適宜変更することができる。
【００２３】
また、このドラム５の周面板３１には、上述したように、無数の小さな貫通孔１８…を開設して通水性および通気性をもたせている。本実施形態では、この貫通孔１８…を円形状に開設したが、貫通スリット等の他形状の貫通孔として形成してもよい。要するに、ドラム５内に、ドラム５内に洗浄水や熱風を供給することができればよい。
【００２４】
既述したように、従来の洗濯脱水乾燥装置では、脱水工程においてドラムを回転させると、遠心力によりドラムの内周面に被処理物が張り付いた状態となり、、そのままの状態で乾燥工程に移行すると、貫通孔に被処理物が密着して孔形状が被処理物に転写されて丸い痕跡が付いてしまったり、被処理物が貫通孔を塞いでドラムの通気性を阻害して乾燥効率が低下し、不完全乾燥の原因となっていた。このようにドラムの内周面に被処理物が張り付いた状態となる理由を推測すると、▲１▼被処理物が濡れているので重量があり、遠心力でドラムの内周面に密着し易いこと、▲２▼一旦、濡れている被処理物がドラムの内周面に密着すると、通気性のないシートのようになり、ドラムの内周面との間への空気の侵入を阻止し、遠心力が消えても吸盤のようにドラムの内周面に密着した状態を維持すること、▲３▼遠心力を受けると、被処理物の一部がドラムの内周面に開設した貫通孔に入り込み、その部分が貫通孔の開口縁に引っ掛った状態となり、自然落下し難いこと、などが考えられる。
【００２５】
かかる推測に基づいて、本実施形態の洗濯脱水乾燥装置１では、上記ドラム５の周面板３１の内面に、その内面に沿ってシート状の網部材３３を着脱可能に配設している。具体的には、網部材３３は、ドラム５の周面板３１の内面において、上記攪拌突起部３２を除く内面に、着脱可能な止着具３４を使用して配設している。
【００２６】
止着具３４としては、例えば、図４に示すように、フランジ部３５に開設した挿入口の縁に「く」字状の拡径脚部３６を複数環状に垂設した雌部材３７と、この雌部材３７の上記挿入口内に進退可能に挿入され、頭部３８から垂設した軸３９の途中に大径部４０を有する雄部材４１とからなり、雄部材４１を押し込むと大径部４０が拡径脚部３６の内面の凸部に当接して各拡径脚部３６を押し広げることによりワンタッチで止着できるものが挙げられる。
【００２７】
このような止着具３４を用いて網部材３３をドラム５の周面板３１の内面に配設するには、ドラム５の周面板３１に開設した貫通孔１８を利用する。即ち、まず雌部材３７の拡径脚部３６を網部材３３の孔に貫通させてからドラム５の貫通孔１８内へ挿入し、次に、雄部材４１の頭部３８を押し込む。すると、雄部材４１の軸３９の大径部４０が雌部材３７の拡径脚部３６を径方向外方へ拡大し、これにより拡径脚部３６の基端部分の径が拡大して網部材３３を止着することができる。一方、頭部３８を回動すると、頭部３８の下面に形成した凸部がフランジ部３５の凹部底面に形成された傾斜面を摺動して雄部材４１が上昇し、これにより軸３９の大径部４０が拡径脚部３６の凸部から外れて各拡径脚部３６が弾性により縮径する。したがって、環状拡径脚部３６の基端部分の径が縮小し、これにより止着具３４をドラム５の貫通孔１８から簡単に引き抜くことができる。
この様に、網部材３３は簡単に着脱できるので、ドラム５の清掃作業や新しい網部材３３との交換作業も容易に行うことができる。
【００２８】
本実施形態では、上記攪拌突起部３２間に位置するドラム５の周面板３１の内面に、４枚の長方形のシート状網部材３３を配設しており、シート状網部材３３の周縁部（４辺）のみを止着具３４により固定し、縁の内側部分はフリーな状態にしてある。このように、ドラム５の周面板３１の攪拌突起部３２を除く内面にシート状の網部材３３を配設したので、ドラム５の有効容積を十分に確保することができ、ドラム５の周面板３１と被処理物との間には、網部材３３が介在することになる。したがって、遠心力により、濡れた被処理物がドラム内面に広い面積で密着するのを防止することができる。
【００２９】
また、この網部材３３の素材としては、衣類等の被処理物を傷めないように柔軟性のある素材であることが望ましく、例えば、テトロン（登録商標）等のポリエステル繊維が挙げられ、撥水性を有することが好ましい。網部材３３が撥水性を有すれば、水を含んで網部材自体の重量が増加することがないからである。
さらに、網部材３３の網目は、ドラム５の内周板３１に開設した貫通孔１８…の孔径よりも小さく設定されている。これにより、被処理物の一部がドラム内面の貫通孔１８…に入り込むのを防止することができる。網部材３３のメッシュ＃は、１０メッシュ前後が好ましく、メッシュ＃が小さいほど網目内に被処理物の一部が入り込むこともない。
【００３０】
そして、この網部材３３は、図３に示すように、その一部（縁の内側）がドラム５の内周板３１の内面と間隔を隔てて、径方向内方へ撓むように止着してある。このように網部材３３の一部が撓むように止着するのは、ドラム５の周面板３１との間に空気が侵入し易いようにするためである。即ち、被処理物とドラム内面との間に空気層を確保して、大気圧により被処理物がドラム内面に密着するのを防止するためである。
【００３１】
なお、本実施形態では、上記攪拌突起部３２、３２間に位置するドラム５の周面板３１の内面に、４枚のシート状網部材３３を配設しているが、その枚数は任意に設定することができる。また、上記貫通孔１８を利用して、長方形状のシート状網部材３３の周縁部（４辺）を止着具３４により固定しているが、これに限るものではなく、例えば、長方形状のシート状網部材３３の４隅を固定してもよい。さらに、網部材３３の止着手段は、本実施形態において例示した止着具３４に限るものではなく、上記ドラム５の周面板３１の内面に沿ってシート状の網部材３３を着脱可能に止着できるものであれば、どのような形式のものであってもよい。
【００３２】
次に、以上のように構成した洗濯脱水乾燥装置１の作用について説明する。本実施形態では、ドラム５の内部に被処理物として肌着やＴシャツ等の衣類を収納して洗浄工程、脱水工程、及び乾燥工程を行う場合について説明する。
【００３３】
まず扉７を開放して、投入口６を開放する。そして、ドラム５内への衣類を投入し、扉７を閉じてから制御ボックス３０のスタートスイッチをオン操作すると、洗浄工程が開始される。
【００３４】
洗浄工程では、給水手段から処理室４内に所定量の洗浄水を供給して収容し、適宜洗浄剤を添加した後、回転駆動機構２６のモータ２３によりドラム５を正逆回転、強弱回転等させる。このドラム５の回転時に、ドラム５の周面板３１の内面に突出した攪拌突起部３２…が被処理物を引っ掛けて上昇させ、攪拌により丸洗い洗浄する。この洗浄工程を設定時間に応じて実施した後、排水弁を開放して処理室４内の洗浄水を排水し、再度、処理室４内に所定量の洗浄水を供給して収容し、給水をしながら濯ぎ工程を所定時間行なう。
【００３５】
濯ぎ工程が終了すると、排水弁を開放して処理室４内の洗浄水を排水し、脱水工程へと移行する。脱水工程では、排水弁を開放したままで、回転駆動機構２６のモータ２３によりドラム５を一方向へ回転させ、その遠心力により被処理物を脱水する。
【００３６】
その際、ドラム５の周板面３１の内面に網部材３３を配設したので、ドラム内面と被処理物との間に網部材３３が介在することになり、遠心力により、濡れた被処理物がドラム内面に密着するのを防止することができ、また、攪拌突起部３２…を除くドラム内面に網部材３３を配設したので、ドラム５の有効容積を十分に確保することができる。さらに、網部材３３の一部がドラム内面と間隔を隔てて径方向内方へ撓むように配設したので、当該撓み部分に空気が侵入し易く、被処理物とドラム内面との間に空気層を確保して、大気圧により被処理物がドラム内面に密着するのを防止することができる。そして、網部材３３の網目をドラム５の周面板３１に開設した貫通孔１８の孔径よりも小さく設定しているので、被処理物の一部が貫通孔１８…内に入り込むのを防止することができる。したがって、ドラム５の回転が止まると、被処理物はドラム５の内面に張り付くことなく自重でドラム５の底部に落下する。
【００３７】
脱水工程を所定時間行なって終了すると、乾燥工程へ移行する。乾燥工程では、加熱ユニット１１の加熱装置を通過して熱せられた熱風が開口部１３から処理室４内に導入され、周面板３１の貫通孔１８…を通ってドラム５の内部に吸引される。そして、ドラム５は回転駆動機構２６により回転しており、衣類等の被処理物がドラム５の周面板３１の内面に密着しないので、攪拌突起部３２により被処理物を引っ掛けてある程度の高さまで上昇してから落下させることができる。また、ドラム５の周面板３１に開設した貫通孔１８…が被処理物によって塞がれないので、通気性が良好である。したがって、上記した攪拌突起部３２による攪拌と通気性とが相俟って被処理物に対して大量の熱風を晒すことができ、これにより効率良く乾燥することができる。したがって、従来よりも短時間で乾燥工程を終了することができる。また、被処理物がドラム５の貫通孔１８…に入り込まないので、被処理物に貫通孔１８…の痕跡が付くことはない。
【００３８】
なお、本実施形態では、横向き式のドラム５を有する洗濯脱水乾燥装置１を例に挙げて説明したが、本発明はこれに限るものではなく、ドラム５を傾斜させたり、投入口を上向きにした竪式のドラムを有する洗濯脱水乾燥装置にも適用することができる。
【００３９】
【発明の効果】
以上説明したように、本発明によれば以下のような優れた効果を奏する。
請求項１に記載の発明によれば、ドラムの内面に網部材を着脱可能に配設したので、ドラム内面と被処理物との間に網部材が介在することになり、遠心力により、濡れた被処理物がドラム内面に密着するのを防止することができる。したがって、ドラムの内部へ熱風を導入し易くして被処理物を効率良く乾燥させることができる。また、被処理物に貫通孔の痕跡が付くことを防止できる。
【００４０】
請求項２に記載の発明によれば、ドラムの内面に、軸方向に沿って径方向内方へ突出した複数の攪拌突起部を設け、該攪拌突起部を除くドラム内面に網部材を配設したので、ドラムの有効容積を十分に確保することができる。
【００４１】
請求項３に記載の発明によれば、網部材の一部がドラム内面と間隔を隔ててドラム中心側へ撓むように止着したので、被処理物とドラム内面との間に空気層を確保して、大気圧により被処理物がドラム内面に密着するのを確実に防止することができる。
【００４２】
請求項４に記載の発明によれば、網部材の網目をドラムの貫通孔の孔径よりも小さく設定したので、被処理物の一部がドラム内面の貫通孔内に入り込むのを防止することができる
【図面の簡単な説明】
【図１】本発明の洗濯脱水乾燥装置の一実施形態を示しており、（ａ）はその概略正面図であり、（ｂ）はその概略側面図である。
【図２】（ａ）はドラムの構造を示す径方向の概略断面図であり、（ｂ）はドラムの内部構造を示す軸方向の概略断面図である。
【図３】本実施形態におけるドラムの構造の一部を拡大して示す径方向の概略断面図である。
【図４】止着具の止着状態における断面図である。
【符号の説明】
１  洗濯脱水乾燥装置
２  筐体
３  シェル
４  処理室
５  ドラム
６  投入口
７  扉
８  窓
９  シール材
１０  背面板
１１  加熱ユニット
１２  排気ユニット
１３，１４  開口部
１５  リング状端板
１６  円形端板
１７  支軸
１８  貫通孔
１９  ブラケット
２０，２１  軸受
２２，２４  プーリー
２３  モータ
２５  ベルト
２６  回転駆動機構
２７  送風機
２８  通気路
２９  リントフィルタ
３０  制御ボックス
３１  周面板
３２  攪拌突起部
３３  網部材
３４  止着具
３５  フランジ部
３６  拡径脚部
３７  雌部材
３８  頭部
３９  軸
４０  大径部
４１  雄部材
【図１】
2004321304.tif 000003
【図２】
2004321304.tif 000004
【図３】
2004321304.tif 000005
【図４】
2004321304.tif 000006